(57)【特許請求の範囲】
【請求項１】
金属板による本体の中間部に設置物取付け用の凸部が形成され、該金属板本体の長さ方向の一方端部には雄側嵌着部が、他端部には雌側嵌着部がそれぞれ折曲形成され、また屋根材どうしの連結用として屋根材の流れ方向の一方端部には雄側嵌合部が、他端部に雌側嵌合部それぞれ形成され、上記金属板本体の雄側嵌着部は上記屋根材の雄側嵌合部に外側から密に嵌合し、上記金属板本体の雌側嵌着部は上記屋根材の雌側嵌合部に外側から密に嵌合し、さらに、上記金属板本体の雌側嵌着部には他の屋根材の雄側嵌合部が外側から嵌合可能に構成され、上記設置物取付け用凸部を挟んで金属板本体の長さ方向の両側に水平に延びる裏面を屋根材の上面に密着するように設置することを特徴とする屋根上設置物の取付け用金物。
【請求項２】
屋根材の雌側嵌合部に嵌合する前記金属板本体の雌側嵌着部には屋根下地材に直接ビス止め固定するための延長部が形成されてなる請求項１記載の屋根上設置物の取付け用金物。
【請求項３】
前記設置物取付け用凸部は、前記金属板本体とは別体の金属板を折曲して該金属板本体の雄側嵌着部と雌側嵌着部との中間部に接合形成されてなる請求項１又は２記載の屋根上設置物の取付け用金物。
【請求項４】
前記設置物取付け用凸部は、前記金属板本体自体の雄側嵌着部と雌側側嵌着部との中間部を折曲して形成されてなる請求項１又は２記載の屋根上設置物の取付け用金物。
【発明の詳細な説明】
【技術分野】
【０００１】
本発明は、例えば太陽光発電用パネルや太陽熱利用温水器用パネル、テレビ受信用アンテナなど、屋根上に設置される設置物を取付け固定するために使用される取付け用金物に関するものである。
【背景技術】
【０００２】
従来、この種の設置物を屋根上に設置する場合には、直接屋根面に固定することは不適であるので、まず屋根面の所定個所に取付け用金物を置き、この金物を釘やビス等により屋根材を介してその下側の野地板や垂木等の屋根下地材に止着し、この取付け用金物に上記設置物をボルト止め等により固定するのが通常である。
【０００３】
しかしながら、このように取付け用金物を固定する場合には、釘やビス等で屋根材を貫通する孔を開けるため、屋根の漏水の原因となり、また屋根材と屋根下地材間には隙間があるので、上記金物のビス止めの際に屋根面に凹みや歪みが発生して、更に漏水を促進させ、外観上も見栄えが良いものではなかった。
【０００４】
また、上記設置物を屋根材に設ける雪止め金具を利用して取付け、風で飛ばされないようにワイヤー等で軒先やけらば、棟などに固定する方法もあるが、雪止め金具自体の強度が弱く、風圧に耐えるためには金具自体の数を増やす必要があってコストアップとなり、またワイヤー等による固定は外観を損なうものであった。
【発明の開示】
【発明が解決しようとする課題】
【０００５】
本発明は、上記のような設置物を屋根上に設置する際に、屋根材の防水性が確保され、強風にも耐えて、屋根面に確実強固に固定することができる取付け用金物を提案するものである。
【課題を解決するための手段】
【０００６】
本発明は、細帯状の金属板を折曲形成して製作されるもので、帯状金属板金属板本体の中間部に設置物取付け用の凸部が形成され、該金属板本体の長さ方向両端部には屋根材の両側端部に折曲形成された屋根材連結用の雄側・雌側側嵌合部に外側からこれにならった形状として密に嵌合可能な嵌着部がそれぞれ折曲形成され、上記設置物取付け用の凸部を挟んで水平に延びる該金属板本体の長さ方向の両側の裏面は屋根材の上面に密着するように設置してなる屋根上設置物の取付け用金物に関するものである。
【０００７】
この場合、屋根材の雌側嵌合部に嵌合する上記金属板本体の嵌着部には必要により屋根下地材にビス止め固定するための延長部を更に形成するようにしてもよい。
【０００８】
また、上記設置物取付け用凸部は、帯状金属板本体と同幅の別の金属板を折曲して該金属板本体中間部に溶接又はリベット等により接合形成し、あるいは該帯状金属板本体自体の中間部を折曲して形成するようにしてもよい。
【発明の効果】
【０００９】
本発明は、上記のように構成され、外部に露呈する屋根面にビス孔を開ける必要がないので、屋根の漏水の心配がなく、防水性が確保できる。また、屋根面へ直接ビス固定することがないので、ビスの締め込みによる屋根面の凹みや歪みの発生がなく、屋根面に確実強固に固定することができ、強風にも耐えて、外観上も良好である。
【発明を実施するための最良の形態】
【００１０】
図１は、本発明に係る屋根上設置物の取付け用金物の一例を示す側面図であり、１は鉄板、亜鉛鉄板、アルミニウム、ステンレスや銅等の金属板製の横葺き用屋根材２の上下方向（屋根の流れ方向）の幅にほぼ等しい長さを有する細幅（例えば５０〜１００ｍｍ）のステンレスやアルミニウム製等の金属板本体で、該金属板本体１の中間部には屋根上に設置される太陽光発電用パネル等の設置物の取付け台となる側面山型で上面が平坦な凸部３が上方へ向けて突出形成されている。
【００１１】
上記凸部３は、図１では金属板本体１とは別体の同幅の金属板を凸型に折曲形成して、その下縁の水平部を金属板本体１中間部にスポット溶接やリベットのかしめにより固定されているが、図２に示すように、金属板本体１自体の中間部を折曲加工することにより形成してもよい。そして、該凸部３の突出した面の上底中央部には圧入ナット、かしめナットあるいはバーリング部へのネジ加工等の螺合部７が設けられ、パネル等の設置物にボルト固定できるようになっている。
【００１２】
４は上下方向の一方端部を内側へ向けて略コ字形に折曲形成した屋根材２の雄側嵌合部２ａにほぼならった形状に折曲形成されて該雄側嵌合部２ａに外側から被覆するように密に嵌合可能な雄側嵌着部であり、５は屋根材２の他方端部をいったん上側に折り返してから更に反対側へ向けて折り返してなる雌側嵌合部２ｂにほぼならった形状に折曲形成されて外側から被覆するように密に嵌合可能な雌側嵌着部である。（図３参照）
【００１３】
６は屋根下地材に直接ビス止め固定するために金属板本体１の上記雌側嵌着部５に延設された延長部で、図３に示すように、該延長部６は屋根材２の上記雌側嵌合部２ｂから下方へ更に折り曲げて水平に延設された屋根下地材へのビス止め用平坦部２ｃより外方に折曲延長されてから屋根下地材に密着可能に形成されている。
【００１４】
８は金属板本体１の裏面に貼着されたゴム、スポンジ等のシート状緩衝材であり、金属板本体１を屋根材２上面に設置した場合に該屋根材２の表面を傷付けないようにするために必要により貼着される。
【００１５】
しかして、図３に示すような例えば断熱材として裏面に発泡ウレタン樹脂等を一体に発泡成型した裏打ち材１０を備える横葺き用の金属製屋根材２を葺設して行く場合、図４に示すように、雄側嵌合部２ａを軒側に向け、その反対端の雌側嵌合部２ｂに形成された折り返し部内に他の屋根材２の雄側嵌合部２ａの折曲端部を引っ掛けるようにして嵌合連結し、その際、雌側嵌合部２ｂに延設された平坦部２ｃは屋根下地材９へビス止めするようにし、このようにして雄側嵌合部２ａと雌側嵌合部２ｂとの嵌合連結を棟方向に向かって順次繰り返しながら屋根材２を葺設して行く。
【００１６】
そこで、屋根上設置物取付け用の金属板本体１を所定の屋根材２に取り付ける場合には、屋根材２を上記のように嵌合連結しながら葺設して行く際に、所定個所の屋根材２の雄側嵌合部２ａにその外側から金属板本体１の雄側嵌着部４を引っ掛けるようにして嵌合し、同時に金属板本体１の雌側嵌着部５は屋根材２の雌側嵌合部２ｂに形成された折り返し部に引っ掛けるようにして嵌合してから、該雌側嵌着部５に延設された延長部６を屋根下地材９に直接ビス１１止め固定するのである（図４参照）。これにより、金属板本体１はその両端部が屋根材２の両端嵌合部２ａ、２ｂに密に嵌合すると共に、金属板本体１中間部の凸部３を挟んで該金属板本体１の長さ方向の両側の水平部分の裏面は、図３〜４に示されるように、屋根材２の上面に密着するように設置してなるので、金属板本体１は屋根材２の所定個所に確実に固定される。
【００１７】
そして、このようにして所定の屋根材２上に金属板本体１を取り付けたら、上側（棟側）に連結する別の屋根材２の雄側嵌合部２ａを金属板本体１を取り付けた上記屋根材２の雌側嵌合部２ｂに上記と同様にして係合嵌合させるのであるが、金属板本体１を取り付けた部分の屋根材２の雌側嵌合部２ｂはこれにならって折曲形成されてその外側に嵌合した該金属板本体１の雌側嵌着部５と内外二重となっているので、この部分では上記した別の屋根材２の雄側嵌合部２ａの折曲端部は金属板本体１の雌側嵌着部５の上方への折り返し部内に圧入するようにして嵌合させることとなり、このようにして複数の屋根材２上の任意個所に金属板本体１を複数設置して行くのである。（図４参照）
【００１８】
これにより、屋根面上には金属板本体１の凸部３が複数突設されるので、
該凸部３を利用して太陽光発電用パネル等の設置物を直接ボルト固定したり、設置物取付け用基台を差し渡し固定したりすることができるのである。
【００１９】
なお、図では、金属板本体１の雌側嵌着部５には更に屋根下地材９に直接ビス止め固定するための延長部６が延設されているが、金属板本体１の両端部が屋根材２の両端部に形成された屋根材連結用の雄・雌嵌合部に密に嵌合するようになっており、しかも該金属板本体１の雌側嵌着部５は上記の如く他の屋根材２の雄側嵌合部２ａが圧入嵌合するので、この延長部６が形成されていなくとも、金属板本体１の屋根材２への固定が可能である。
【００２０】
また、この金属板本体１の延長部６は屋根下地材９に直接ビス止め固定するので、屋根面への固定が更に確実強固なものとなり、しかもこの延長部６は屋根材２どうしを連結する雄・雌嵌合部２ａ、２ｂとは別の位置で屋根下地材９にビス１１止めされるので、ビス１１の締め込みによって屋根面に凹みや歪みが発生するようなこともなく、体裁も良好である。
【図面の簡単な説明】
【００２１】
【図１】本発明に係る屋根上設置物の取付け用金物の一例を示す側面図である。
【図２】本発明に係る屋根上設置物の取付け用金物の他の例を示す側面図である。
【図３】本発明に係る屋根上設置物の取付け用金物を屋根上に取り付けた状態を示す拡大側面説明図である。
【図４】本発明に係る屋根上設置物の取付け用金物を屋根上に取り付けた状態を示す説明的な斜視図である。
【符号の説明】
【００２２】
１−屋根上設置物取付け用の金属板本体
２−屋根材
２ａ−屋根材の雄側嵌合部
２ｂ−屋根材の雌側嵌合部
２ｃ−屋根材の平坦部
３−凸部
４−雄側嵌着部
５−雌側嵌着部
６−延長部
７−螺合部
８−シート状緩衝材
９−屋根下地材
１０−裏打ち材
１１−ビス止め
【図１】
0005561572.tif 000002
【図２】
0005561572.tif 000003
【図３】
0005561572.tif 000004
【図４】
0005561572.tif 000005